(57)【特許請求の範囲】
【請求項１】
生体由来の検体の成分を分析する分析手段と、
複数カテゴリに属する情報をカテゴリ毎に表示する表示手段と、
検体測定状況情報および検体ＩＤ情報を表示する検体リストカテゴリと、分析項目名情報及び検査値情報を表示する測定結果リストカテゴリと、特定の分析項目に関連した反応過程情報、試薬情報または検量線情報のいずれかを表示する測定関連詳細カテゴリと、を表示させる第一の表示モードにおいて、これらのカテゴリの大きさを制御することにより、互いが重なり表示されることなく同一画面上に表示するように制御する表示制御手段と、
ユーザによる表示の変更指示を受付可能な指示手段と、
前記指示手段による指示にもとづいて、前記第一の表示モードから、前記測定関連詳細カテゴリを表示させず、その分、前記検体リストカテゴリおよび前記測定結果リストカテゴリの少なくともいずれかに詳細情報を追加して横幅を大きく表示させるモードに遷移する表示変更手段と、を備える自動分析装置。
【請求項２】
請求項１記載の自動分析装置において、
前記表示変更手段は、前記指示手段の入力により、前記検体リストカテゴリに検体名称情報を追加し、前記測定結果リストカテゴリにアラーム情報を追加して表示させる第二の表示モードに遷移する、自動分析装置。
【請求項３】
請求項１記載の自動分析装置において、
前記表示変更手段は、前記指示手段の入力により、前記検体リストカテゴリの表示項目はそのままに、前記測定結果リストカテゴリにアラーム情報および検体分注時刻情報を追加して表示させる第三の表示モードに遷移する、自動分析装置。
【請求項４】
請求項１記載の自動分析装置において、
前記表示変更手段は、前記検体リストカテゴリに検体名称情報を追加して表示させ、前記測定結果リストカテゴリにアラーム情報を追加して表示させる第二の表示モードと、前記検体リストカテゴリの表示項目はそのままに、前記測定結果リストにアラーム情報および検体分注時刻情報を追加して表示させる第三の表示モードへの遷移が可能であり、
前記指示手段は、前記第一の表示モードから前記第二または第三の表示モードのいずれに遷移するかを指示可能である、自動分析装置。
【請求項５】
請求項１記載の自動分析装置において、
検体リストカテゴリ以外がもっとも詳細に表示されている場合でも、検体リストカテゴリの検体測定状況が常に表示されるように制御する制御手段を備えたことを特徴とする自動分析装置。
【請求項６】
請求項１記載の自動分析装置において、
前記指示手段は、ボタンの入力、あるいは表示手段上に表示されるスクロールバーの移動であることを特徴とする自動分析装置。
【発明の詳細な説明】
【技術分野】
【０００１】
本発明は、血液，尿等からなる検体の成分濃度を測定する自動分析装置に係り、特に測定結果を表示する画面を備えた自動分析装置に関する。
【背景技術】
【０００２】
血液，尿等の検体中の成分濃度を測定する自動分析装置は、機能の多様化に伴い、画面構成が複雑になっている。また、装置の運転状況の把握、あるいは装置のエラーへの対応が迅速に行えるように、それらの情報を画面上に常時表示しているため、該常時表示領域以外の表示領域サイズは制限されたものとなってしまい、この制限された表示領域内に、検体情報および測定結果を表示する必要がある。また、自動分析装置の操作画面は、容器等を片手に持ったままでも画面操作を可能とするように、また立ちながらの画面操作がし易いように、タッチパネルを採用しているケースが多いため、タッチ操作が可能なサイズのボタンやスクロールバー等の表示部品で画面を構成する必要があり、一度に表示できる情報量は限定されたものとなる。
【０００３】
測定結果に関連する反応過程や試薬情報等の詳細情報を表示する方法としては、特許文献１に、吸光度等の測定結果の詳細情報を経時的に表示する画面が開示されている。
【先行技術文献】
【特許文献】
【０００４】
【特許文献１】特開２０００−３２１２８１号公報
【発明の概要】
【発明が解決しようとする課題】
【０００５】
上記従来の技術では、例えば測定結果に異常が発生した時に、異常原因を追求するために、検体とその測定結果に関連する反応過程データ，検量線，試薬情報等の詳細情報を、個別の画面で確認する必要があるため、複数種類の測定結果詳細情報をもとに異常原因を追求する場合において、操作者の負担が大きかった。また、試薬ボトルの切り替わり前後のデータ変動の確認等を行うために、複数分析項目の測定結果に対して、測定結果の詳細情報を順次確認したり、複数種類の詳細情報を確認したりするためには、測定結果の画面表示と詳細情報の画面表示をその都度切り替える必要があり、操作ステップ数が多く、操作者の負担が大きかった。
【０００６】
さらに、詳細情報を表示する画面は、測定結果画面の上に子画面として重ねて表示する方法が一般的であり、測定結果の詳細画面を表示しながらもドクターから測定状況の問い合わせがあった検体の測定状況の変化をリアルタイムで確認するような作業が困難であった。
【０００７】
また、限られた画面表示領域の中で、検体あるいは測定結果の情報を同時に表示した状態で、操作者が確認したい情報の詳細度に応じて表示方法を変えることにより、子画面を開かず必要な情報を一度に表示する方法はなかった。
【０００８】
加えて、機能の多様化に伴う画面構成の複雑化，医療費抑制等の背景による専門の検査技師のみ以外の不慣れな操作者が装置を使用するケースの増加等の背景から、画面遷移回数が少なく操作が簡単であり、かつ測定結果が異常となった場合の対応が迅速にできる画面構成が、自動分析装置には要求されている。
【０００９】
本発明は、操作者が測定結果の詳細情報を確認する場合の画面操作ステップ数を削減し、画面遷移回数を低減するとともに、測定結果に異常が発生した場合の原因調査が容易で、操作者の負担を低減する操作画面を備えた自動分析装置を提供することにある。
【課題を解決するための手段】
【００１０】
上記課題を解決するために、本発明に係る自動分析装置の操作画面は、次のように構成される。
【００１１】
複数カテゴリーの内容を表示する表示手段を備えた自動分析装置において、前記カテゴリー毎に、複数の表示内容の中から表示の優先度を予め記憶した定義テーブルを備え、前記カテゴリーの複数を指定して表示指示がなされた場合は、同一画面上に、指定されたカテゴリーの項目が上書きされることなく、すべて表示されるよう前記定義テーブルに記憶された優先度に基づき、表示を制御する制御手段を備えた自動分析装置。
【００１２】
複数カテゴリーとは例えば、検体リスト，測定結果リスト，反応過程モニタのようなものであるが、表示の内容が種類分けされていれば他のカテゴリーであってもかまわない。
【００１３】
表示の優先度は優先順位１番，２番，・・・のように優先順位付けられていてもよいし、表示の詳細度（情報量の多さ）に応じて高い詳細度の場合は、４つの項目を表示し、中程度の詳細度の場合は３つの項目を、低い詳細度の場合は、１つの項目を表示する、というように、表示する項目の間で特に優先順位付けされていなくても良い。
【００１４】
「上書きされることなく表示」とは、１つの表示画面上に別のウィンドウ（子画面）が開いて別の内容を表示する場合と、別の画面に置き換えられて表示される場合の双方を含む概念である。
【００１５】
以下、より好ましい態様を説明する。
【００１６】
まず、検体を一覧表示する検体リストを備える。検体リストには、検体を識別するための検体ＩＤ，検体名称，検体設置ポジション番号等の情報および検体の測定状況を表示する。また、検体リストで選択した検体の測定結果の一覧を表示する測定結果リストを備える。測定結果リストには、検体リストで選択した検体の各分析項目の初検値と再検値、測定結果の異常の有無および異常要因を示すデータアラーム等の情報を表示する。これらの２つのリストをある一定の画面表示領域内に同時に表示する。操作者が検体に関する情報を詳細に確認するための画面操作を行った場合は、検体詳細モードに遷移し、あらかじめ定義されたリスト幅と表示項目に従い、検体リストのリスト幅の伸長と測定結果リストのリスト幅の短縮を行い、一定の画面表示領域内に収まるように２つのリストを同時に表示する。測定結果に関する情報を詳細に確認するための画面操作を行った場合は、あらかじめ定義されたリスト幅と表示項目に従い、検体リストのリスト幅の短縮と測定結果リストのリスト幅の伸長を行う。
【００１７】
さらに、測定結果の濃度算出に使用した吸光度（反応過程データ）を確認するための画面操作を行った場合は、検体リストのリスト幅と測定結果リストのリスト幅が短縮され、検体リスト，測定結果リスト，反応過程モニタが同時に一定の画面表示領域内に収まるように表示される。
【００１８】
上記の場合において、リスト幅が短縮された場合に各リスト内に優先して表示される情報は、施設の運用に応じて操作者があらかじめ設定することが可能である。
【００１９】
また、検体リストが縮小表示された状態においても、未測定，測定中，測定終了，測定失敗等の検体の測定状況を表示することにより、検体の測定状況が子画面に画面遷移することなく確認できる。
【発明の効果】
【００２０】
本発明によれば、操作者が詳細に確認したいデータを表示するリストの表示幅伸長するとともに、他のデータのリスト表示幅を短縮することにより、制限された表示領域内で同時に複数種類のデータを確認できるため、画面遷移の煩雑さをなくし、測定データの異常原因の究明やデータの詳細情報の確認を行う検査技師の負担を軽減することができる。また、測定結果の異常原因追求のために確認すべき詳細情報の種類が増えた場合でも、同一の画面領域内で詳細情報を確認できるため、操作者が新たに画面操作を覚える必要がない。
【図面の簡単な説明】
【００２１】
【図１】第１図は自動分析装置の概要図である。
【図２】第２図は装置で測定した検体とその測定結果を確認するための画面例の図である。
【図３】第３図は測定結果リストの表示詳細度がもっとも大きい場合の表示例の図である。
【図４】第４図は反応過程モニタの表示詳細度がもっとも大きい場合の表示例の図である。
【図５】第５図は従来の検体と測定結果の詳細を確認するための画面例の図である。
【図６】第６図は検体リストと測定結果リストの横幅および表示項目の定義例の図である。
【図７】第７図は表示モードの状態遷移例の図である。
【図８】第８図は反応過程モニタの表示詳細度がもっとも大きい場合の表示例の図である。
【図９】第９図は検体リストと測定結果リストの横幅および表示項目の定義例の図である。
【発明を実施するための形態】
【００２２】
以下に、本発明の実施例を添付図面に基づいて説明する。
【００２３】
第１図は自動分析装置の全体構成概要図である。まずは、自動分析装置の概要について説明する。
【００２４】
第１図においてディスプレイ等の表示手段およびキーボード，マウス等の入力手段を備えた操作部１０１から検体の分析測定項目を選択し、スタートボタンを押すと、インターフェース１０２より、分析部１０３に分析測定依頼が送信される。分析装置では、分析指示に従い、反応ディスク１０４を回転させて、反応容器１０５内に、検体分注プローブ１０６を用いて検体を分注し、試薬プローブ１０７を用いて試薬を分注して反応液を作成し、攪拌機構１０８により反応液の攪拌を行う。そして、光源１０９，多波長光度計１１０を用いて、反応容器１０５の吸光度を測定し、濃度演算を行う。測定結果出力後の反応容器１０５は洗浄機構１１１により、洗浄される。分析部１０３は測定した検体の分析項目の濃度演算結果，濃度演算に使用した吸光度データ（反応過程データ），試薬情報，検量線データを、インターフェース１０２より、操作部１０１に送信する。操作者は、測定依頼した検体の分析項目の測定結果，反応過程データ，試薬情報，検量線データを操作部１０１のディスプレイで確認できる。
【００２５】
第２図は、装置で測定した検体とその測定結果を確認するための画面例である。検体リスト２０１と測定結果リスト２０２は、一定のデータ表示領域２０３の中に同時に表示されている。初期表示は、第７図の検体詳細モード７０１となり、検体リストの表示の詳細度がもっとも大きくなる。第６図の検体リスト定義テーブル６０１より、検体リスト２０１には、検体測定状況２０４，検体ＩＤ２０５，検体名称２０６，検体設置ポジション番号２０７が表示される。第６図の測定結果リスト定義テーブル６０２より、測定結果リストには分析項目名２０９，初検値２１０，再検値２１１，初検値のデータアラーム２１２，再検値のデータアラーム２１３が表示される。検体リストの横幅は、検体リスト定義テーブル６０１から、詳細度が大の横幅が選択される。測定結果リストの横幅は、測定結果リスト定義テーブル６０２から、詳細度が中である詳細度２の横幅が自動で選択される。
測定結果詳細ボタン２１４をマウスで選択すると、第７図の状態遷移図より、表示モードが検体詳細モード７０１から測定結果詳細モード７０２に変わる。第６図より、測定結果詳細モードに対応したリスト幅が選択されるので、測定結果リスト幅が伸張し、検体リスト幅が短縮される。表示モードを検体詳細モード７０１から測定結果詳細モード７０２へ変える実施形態としては、上記測定結果詳細ボタン２１４の操作以外に、スクロールバー２０８の操作が考えられる。例えば、スクロールバー２０８を、マウスでドラッグしたまま検体リスト２０１のリスト幅が縮小される左方向に移動する。スクロールバー２０８の移動が完了したことをトリガーとして、第７図の状態遷移図より、表示モードが検体詳細モード７０１から測定結果詳細モード７０２に変わる。
【００２６】
第３図は、第２図において操作者が測定結果詳細ボタン２１６を選択したことにより、測定結果詳細モードとなり、測定結果リスト２０２の表示の詳細度がもっとも大きくなった場合の表示例である。検体リスト定義テーブル６０１より、検体リスト３０１には、検体測定状況３０３，検体ＩＤ３０４のみが表示される。測定結果リスト定義テーブル６０２より、測定結果リスト３０２には分析項目名３０５，初検値３０６，再検値３０７，初検値のデータアラーム３０８，再検値のデータアラーム３０９に加えて、初検値の検体分注時刻３１０，再検値の検体分注時刻３１１が表示される。検体リストの幅は、検体リスト定義テーブル６０１から、詳細度が小の横幅が選択される。測定結果リストの幅は、測定結果リスト定義テーブル６０２から、詳細度が大の横幅が選択される。測定結果リスト３０２内のデータをマウスで選択すると、選択メニュー３１４が表示される。選択メニュー３１４から反応過程モニタボタン３１５をマウスで選択すると、第７図の状態遷移図より、表示モードが測定結果詳細モード７０２から測定関連詳細モード７０３に変わり、測定結果リスト幅が短縮され、反応過程モニタが表示される。戻るボタン３１２を選択すると、第７図の状態遷移図より、表示モードが測定関連詳細モード７０３から測定結果詳細モード７０２に変わり、再び検体リスト３０１の詳細度を大きく表示し、第２図の表示状態に戻る。
【００２７】
第４図は、第３図において操作者が反応過程モニタボタン３１５を選択したことにより、測定関連詳細モードとなり、測定結果リスト３０２の表示の詳細度が小さくなり、反応過程モニタが表示された場合の表示例である。検体リスト定義テーブル６０１より、検体リスト４０１には、検体測定状況４０３，検体ＩＤ４０４のみが表示される。測定結果リスト定義テーブル６０２より、測定結果リスト４０２には分析項目名４０５，初検値４０６，再検値４０７のみが表示される。検体リストの幅は、検体リスト定義テーブル６０１から、詳細度が小の横幅が選択される。測定結果リストの幅は、測定結果リスト定義テーブル６０２から、詳細度が小の横幅が選択される。測定結果リスト４０２の右側には、測定結果リスト４０２内で選択している分析項目のデータに関連する吸光度データを表示する反応過程モニタ４１０が表示される。反応過程モニタを表示する表示部品の横幅は、データ表示領域４１１の横幅から検体リスト４０１の横幅と測定結果リスト４０２の横幅を引くことにより算出され、決定される。あるいは、第６図のように反応過程モニタの横幅をあらかじめ定義しておき、その定義値を使用してもよい。
【００２８】
測定結果詳細状態へ戻るボタン４０８を選択すると、第７図の状態遷移図より、表示モードが測定関連詳細モード７０３から測定結果詳細モード７０２に変わり、第３図の測定結果リストの詳細度が大きい表示状態に戻る。検体詳細状態へ戻るボタン４０９を選択すると、第７図の状態遷移図より、表示モードが測定関連詳細モード７０３から検体詳細モード７０１に変わり、第２図の検体リストの詳細度が大きい表示状態に戻る。また、測定結果リスト４０２で別の分析項目を選択した場合は、新たに選択した分析項目に関連した吸光度を反応過程モニタ４１０に表示する。さらに、検体リスト４０１あるいは、測定結果リスト４０２の表示をリアルタイムで更新することにより、リストに表示中の検体の測定状況あるいは分析項目の測定結果の最新情報を、反応過程モニタを表示しながら確認できる。
【００２９】
第８図は、第３図において操作者が反応過程モニタボタン３１５を選択した場合に、測定関連詳細モードとなり、測定結果リスト３０２の表示の詳細度が小さくなり、反応過程モニタが表示された場合の第２の表示例である。検体リスト定義テーブル９０１より、第３図と同様に、検体リスト８０１には、検体測定状況３０３，検体ＩＤ３０４のみが表示される。測定結果リスト定義テーブル９０２より、測定結果リスト８０２には、第３図と同様に、分析項目名３０５，初検値３０６，再検値３０７，初検値のデータアラーム３０８，再検値のデータアラーム３０９，初検値の検体分注時刻３１０，再検値の検体分注時刻３１１が表示される。検体リストの幅は、検体リスト定義テーブル９０１から、詳細度が小の横幅が選択される。検体リストの縦長は、検体リスト定義テーブル９０１から、詳細度が小の縦長が選択される。測定結果リストの幅は、測定結果リスト定義テーブル９０２から、詳細度が小の横幅が選択される。測定結果リストの縦長は、測定結果リスト定義テーブル９０２から、詳細度が小の縦長が選択される。検体リストの縦長と測定結果リストの縦長は、ともに詳細度中の場合に比べて短くなり、縦方向に縦長が縮小される。
【００３０】
検体リスト８０１と測定結果リスト８０２の下側には、測定結果リスト８０２内で選択している分析項目のデータに関連する吸光度データを表示する反応過程モニタ８０３が表示される。反応過程モニタを表示する表示部品の縦長は、データ表示領域８０４の縦長から検体リスト８０１の縦長を引くことにより算出され、決定される。あるいは、第６図のように反応過程モニタの縦長をあらかじめ定義しておき、その定義値を使用してもよい。
【００３１】
第６図は、検体リストおよび測定結果リストの表示モードとの対応，横幅，縦長，表示項目を定義したテーブルであり、検体リストに関しては検体リスト定義テーブル６０１、測定結果リストに関しては測定結果リスト定義テーブル６０２に定義されている。もっとも詳細度が大きい表示モード以外の状態では、詳細度が大きいときの表示項目の中からどれを表示するかを指定できる。下線がついている表示項目は、常時表示項目である。第６図の例では、検体リストは検体測定状況が、測定結果リストは分析項目名が常時表示項目となっている。一方、測定結果詳細モードにおいて、検体リストには検体ＩＤを表示するように指定されている。これは施設ごとに指定可能であり、検体ＩＤのかわりに検体名称等を指定してもよい。
【００３２】
第５図は従来の表示画面例である。前述の例の場合、初検や再検の検体分注時刻を確認したい場合、測定結果詳細ボタン５０８を押下すると、検体リスト５０１や測定結果リスト５０２の上に重ねられて、測定結果詳細画面５１５が子画面として表示される。続いて、反応過程モニタを確認したいときは、一度子画面５１５を閉じた後、反応過程モニタボタン５１４を押下すると、検体リスト５０１や測定結果リスト５０２の上に重ねられて、反応過程モニタ画面５１６が子画面として表示される。また測定結果リスト５０２で選択している分析項目と異なる分析項目の反応過程を確認したい場合は、子画面５１６上で分析項目をプルダウンメニュー等で選択しなおす操作が必要となる。このように、測定結果に関する詳細情報を確認したいときは、子画面の開閉を繰り返したり、画面遷移を何度も行ったりする必要がある。また、子画面５１５や子画面５１６が検体リスト５０１や測定結果リスト５０２の上に重ねられて表示されているため、子画面を開いたまま、検体リスト５０１や測定結果リスト５０２の表示が更新されたことを確認できなかった。
【００３３】
以上より、操作者が確認したい情報の詳細度に応じて、リストの表示幅およびリストに表示する情報量を変えることで、限られた一定の表示領域内に子画面を重ねて表示することなく、検体の測定結果に関する情報を一画面で同時に表示できるので、従来のように子画面を重ねたり、一度別の画面へ遷移したりして測定結果の詳細情報を確認する必要がないため、不慣れな操作者にとっても、画面遷移に迷うことなく測定結果の詳細確認が可能となる。
【００３４】
また、表示幅が縮小されているリスト内に優先して表示する情報をあらかじめ設定する機能を設けることにより、施設の運用に応じて検体を特定するための情報を常時表示することで、別の検体の測定結果に関する詳細情報の確認作業に移行したいときにも、検体の検索が容易で、かつ画面遷移も不要となるため、作業効率が向上する。さらに、測定結果の詳細情報を確認中に、検体リスト内に未測定，測定中，測定終了，測定失敗等の検体の測定状況を常時表示することで、検体情報以外の情報がもっとも詳細に表示されている場合においても、他の検体の測定状況が確認できる。
【００３５】
なお、本実施例は検体情報や測定結果を表示する表示部品としてリストを例としたが、リストのみならず表などの表示部品を使用した場合にも本発明の技術は適用できる。
【符号の説明】
【００３６】
１０１  操作部
１０２  インターフェース
１０３  分析部
１０４  反応ディスク
１０５  反応容器
１０６  検体分注プローブ
１０７  試薬分注プローブ
１０８  攪拌機構
１０９  光源
１１０  多波長光度計
１１１  洗浄機構
２０１，３０１，４０１，５０１，８０１  検体リスト
２０２，３０２，４０２，５０２，８０２  測定結果リスト
２０３，３１３，４１１，５０３  データ表示領域
２０４，３０３，４０３，５０４  検体測定状況
２０５，３０４，４０４，５０５  検体ＩＤ
２０６，５０６  検体名称
２０７，５０７  検体設置ポジション番号
２０８  スクロールバー
２０９，３０５，４０５，５０９  分析項目名
２１０，３０６，４０６，５１０  初検値
２１１，３０７，４０７，５１１  再検値
２１２，３０８，５１２  初検値のデータアラーム
２１３，３０９，５１３  再検値のデータアラーム
２１４，５０８  測定結果詳細ボタン
３１０  初検値の検体分注時刻
３１１  再検値の検体分注時刻
３１２  戻るボタン
３１４  選択メニュー
３１５，５１４  反応過程モニタボタン
４０８  測定結果詳細状態へ戻るボタン
４０９  検体詳細状態へ戻るボタン
４１０，８０３  反応過程モニタ
５１５  測定結果詳細画面
５１６  反応過程モニタ画面
６０１，９０１  検体リスト定義テーブル
６０２，９０２  測定結果リスト定義テーブル
７０１  検体詳細モード
７０２  測定結果詳細モード
７０３  測定関連詳細モード
【図１】
0005899339.tif 000002
【図２】
0005899339.tif 000003
【図３】
0005899339.tif 000004
【図４】
0005899339.tif 000005
【図５】
0005899339.tif 000006
【図６】
0005899339.tif 000007
【図７】
0005899339.tif 000008
【図８】
0005899339.tif 000009
【図９】
0005899339.tif 000010